【手続補正書】
【提出日】平成16年11月16日(2004.11.16)
【手続補正１】
【補正対象書類名】特許請求の範囲
【補正対象項目名】全文
【補正方法】変更
【補正の内容】
【特許請求の範囲】
【請求項１】
少なくとも１人の加入者と通信するための方法であって、
直交周波数ドメイン多重化（ＯＦＤＭ）信号を上記少なくとも１人の加入者へ送信し、そして
ＯＦＤＭ信号に応答して、直接シーケンス拡散スペクトル（ＤＳＳＳ）信号を上記少なくとも１人の加入者から受信する、
という段階を備えた方法。
【請求項２】
上記ＤＳＳＳ信号の受信は、多数のコード分割マルチアクセス（ＣＤＭＡ）信号を複数の加入者から受信することを含む請求項１に記載の方法。
【請求項３】
ベースステーションと通信するための方法であって、
直交周波数ドメイン多重化（ＯＦＤＭ）信号を上記ベースステーションから受信し、そして
ＯＦＤＭ信号に応答して、直接シーケンス拡散スペクトル（ＤＳＳＳ）信号を上記ベースステーションへ送信するという段階を備えた方法。
【請求項４】
上記ＤＳＳＳ信号の送信は、多数のコード分割マルチアクセス（ＣＤＭＡ）信号を複数の加入者から送信することを含む請求項３に記載の方法。
【請求項５】
ＤＳＳＳ送信器と、ＯＦＤＭ受信器と、これらのＤＳＳＳ送信器及びＯＦＤＭ受信器に接続された第１アンテナとを有する加入者と、
上記加入者に通信可能に接続されたベースステーションであって、ＤＳＳＳ受信器と、ＯＦＤＭ送信器と、これらのＤＳＳＳ受信器及びＯＦＤＭ送信器に接続された第２アンテナとを有するベースステーションと、
を備え、
加入者のＯＦＤＭ受信器はベースステーションのＯＦＤＭ送信器からＯＦＤＭ信号を受信し、加入者のＤＳＳＳ送信器は、受信したＯＦＤＭ信号に応答して、ベースステーションへＤＳＳＳ信号を送信し、ＤＳＳＳ信号は、ベースステーションのＤＳＳＳ受信器によって受信される、システム。
【請求項６】
上記ＤＳＳＳ送信器及びＯＦＤＭ受信器を上記第１アンテナに接続するための第１スイッチと、
上記ＤＳＳＳ受信器及びＯＦＤＭ送信器を上記第２アンテナに接続するための第２スイッチと、
を更に備えた請求項５に記載のシステム。
【請求項７】
上記ＤＳＳＳ送信器及びＯＦＤＭ受信器を上記第１アンテナに接続するための第１周波数デュープレクサと、
上記ＤＳＳＳ受信器及びＯＦＤＭ送信器を上記第２アンテナに接続するための第２周波数デュープレクサと、
を更に備えた請求項５に記載のシステム。
【請求項８】
上記ＯＦＤＭ送信器は、
順方向エラー修正（ＦＥＣ）エンコーダと、該ＦＥＣエンコーダの出力に接続されたインターリーバーと、該インターリーバーの出力に接続された変調器とを各々有する複数の処理経路と、
上記複数の処理経路における上記変調器から出力を受信しそしてＯＦＤＭ信号を出力するように接続された逆高速フーリエ変換（ＩＦＦＴ）と、
を備えた請求項５に記載のシステム。
【請求項９】
上記ＯＦＤＭ受信器は、
上記ベースステーションから受信されたＯＦＤＭ信号に対してＦＦＴを実行するための高速フーリエ変換（ＦＦＴ）ユニットと、
上記ＦＦＴユニットの個々の出力に接続された複数の処理経路と、
を備え、これら複数の処理経路の各々は、
上記ＦＦＴユニットの個々の出力の１つに接続された復調器と、
上記復調器の出力に接続されたデインターリーバーと、
上記デインターリーバーの出力に接続された順方向エラー修正（ＦＥＣ）デコーダとを有し、上記ＦＥＣデコーダの出力がユーザデータである請求項５に記載のシステム。
【請求項１０】
上記ＤＳＳＳ送信器及びＤＳＳＳ受信器は、各々、ＣＤＭＡ送信器及びＣＤＭＡ受信器を含む請求項５に記載のシステム。
【請求項１１】
上記ＤＳＳＳ送信器は、
ユーザデータを受信するように接続された順方向エラー修正（ＦＥＣ）エンコーダと、
上記ＦＥＣエンコーダの出力に接続されたインターリーバーと、
上記インターリーバーの出力に接続された変調器と、
上記変調器の出力に接続されたスプレッダーと、
を備えている請求項５に記載のシステム。
【請求項１２】
上記ＤＳＳＳ受信器は、複数の処理経路を備え、各処理経路は、
相関装置と、
上記相関装置の出力に接続され、第１及び第２の出力を有するチャンネル推定器と、
上記相関装置の出力及び上記チャンネル推定器の第１出力に接続されたＲａｋｅ受信器と、
上記Ｒａｋｅ受信器の出力に接続されたデインターリーバーと、
上記デインターリーバーの出力に接続されたＦＥＣデコーダと、
上記チャンネル推定器の第２出力に接続されたＦＦＴユニットと、
を有している請求項５に記載のシステム。
【請求項１３】
上記ＤＳＳＳ受信器は、更に、上記複数の処理経路のＦＦＴユニットの出力に接続されたダウンリンクＯＦＤＭ加入者アロケーターを備えている請求項１２に記載のシステム。
【請求項１４】
上記ベースステーションは、更に、ＤＳＳＳ送信器を備え、そして上記加入者は、ＤＳＳＳ受信器を備えた請求項５に記載のシステム。
【請求項１５】
上記ＤＳＳＳ送信器は、ＣＤＭＡ送信器を含み、そして上記ＤＳＳＳ受信器は、ＣＤＭＡ受信器を含む請求項１４に記載のシステム。
【請求項１６】
上記ベースステーションは、更に、
ビーコン信号を発生するためのビーコン発生器と、
上記ビーコン発生器に接続されて、ビーコン信号をＯＦＤＭ記号と合成し、ベースステーションからの出力として送信信号を生成するためのスイッチと、
を備えた請求項５に記載のシステム。
【請求項１７】
上記ビーコン信号は、少なくとも１つの拡散スペクトル擬似ノイズ（ＰＮ）シーケンスを含む請求項１６に記載のシステム。
【請求項１８】
上記ビーコン信号は、複数の拡散スペクトル擬似ノイズ（ＰＮ）シーケンスを含む請求項１６に記載のシステム。
【請求項１９】
上記加入者は、時間同期のために上記複数の拡散スペクトル擬似ノイズ（ＰＮ）シーケンスの第１部分を使用する請求項１８に記載のシステム。
【請求項２０】
上記ＰＮシーケンスの第１部分は、１つのＰＮシーケンスより成る請求項１９に記載のシステム。
【請求項２１】
上記加入者は、周波数トラッキングのために上記ＰＮシーケンスの第１部分に続くＰＮシーケンスの第２部分を使用する請求項１９に記載のシステム。
【請求項２２】
上記ＰＮシーケンスの第２部分におけるＰＮシーケンスは、上記ＰＮシーケンスの第１部分におけるＰＮシーケンスより短い請求項２１に記載のシステム。
【請求項２３】
上記ＣＤＭＡ送信器は、アップリンク通信のためのものである請求項５に記載のシステム。
【請求項２４】
上記ＯＦＤＭ送信器は、オープンループ電力制御のためにダウンリンク中に全帯域巾パイロットＯＦＤＭ記号を送信する請求項２３に記載のシステム。
【請求項２５】
第１及び第２システムを備えた通信ネットワークであって、上記第１及び第２システムの各々は、
ＤＳＳＳ送信器と、
ＤＳＳＳ受信器と、
上記ＤＳＳＳ送信器及びＤＳＳＳ受信器に接続されたアンテナと、
を含み、更に、上記第１システムは、そのアンテナに接続されたＯＦＤＭ送信器を備え、そして上記第２システムは、そのアンテナに接続されたＯＦＤＭ受信器を備えた通信ネットワーク。
【請求項２６】
上記ＤＳＳＳ送信器及びＤＳＳＳ受信器は、各々、ＣＤＭＡ送信器及びＣＤＭＡ受信器を含む請求項２５に記載の通信ネットワーク。
【請求項２７】
上記第１及び第２システム各々における上記ＤＳＳＳ送信器及びＤＳＳＳ受信器は、ＣＤＭＡトランシーバーとして一緒に実施され、そして上記ＯＦＤＭ送信器及びＯＦＤＭ受信器は、各々、個別のＯＦＤＭトランシーバーに含まれる請求項２５に記載の通信ネットワーク。
【請求項２８】
上記ＯＦＤＭ送信器は、ダウンリンク送信に使用するためのものである請求項２５に記載の通信ネットワーク。
【請求項２９】
上記第２システムにおけるＯＦＤＭ送信器及びＣＤＭＡ送信器は、ダウンリンク多重化を使用して個別のダウンリンク送信を送信する請求項２５に記載の通信ネットワーク。
【請求項３０】
上記ダウンリンク多重化は、時分割デュープレクシングを含む請求項２５に記載の通信ネットワーク。
【請求項３１】
上記ダウンリンク多重化は、周波数分割デュープレクシングを含む請求項２５に記載の通信ネットワーク。
【請求項３２】
上記第１システムは、上記ＤＳＳＳ送信器、ＤＳＳＳ受信器及びＯＦＤＭ送信器を上記アンテナに接続するスイッチを備えた請求項２５に記載の通信ネットワーク。
【請求項３３】
上記第１システムは、上記ＤＳＳＳ送信器、ＤＳＳＳ受信器及びＯＦＤＭ送信器を上記アンテナに接続するデュープレクサを備えた請求項２５に記載の通信ネットワーク。
【請求項３４】
上記第２システムは、上記ＤＳＳＳ送信器、ＤＳＳＳ受信器及びＯＦＤＭ受信器を上記アンテナに接続するスイッチを備えた請求項２５に記載の通信ネットワーク。
【請求項３５】
上記第２システムは、上記ＤＳＳＳ送信器、ＤＳＳＳ受信器及びＯＦＤＭ受信器を上記アンテナに接続するデュープレクサを備えた請求項２５に記載の通信ネットワーク。
【請求項３６】
上記ＯＦＤＭ送信器は、上記第１システムと第２システムとの間でダウンリンク送信するためのものであり、そして上記第２システムのＤＳＳＳ送信器は、上記第２システムから第１システムへのアップリンク送信のためのものであり、更に、上記第１及び第２システムは、周波数分割デュープレクシング（ＦＤＤ）を使用して、ダウンリンク送信とアップリンク送信を整合させる請求項２５に記載の通信ネットワーク。
【請求項３７】
上記ＯＦＤＭ送信器は、上記第１システムと第２システムとの間でダウンリンク送信するためのものであり、そして上記第２システムのＤＳＳＳ送信器は、上記第２システムから第１システムへのアップリンク送信のためのものであり、更に、上記第１及び第２システムは、時分割デュープレクシング（ＴＤＤ）を使用して、ダウンリンク送信とアップリンク送信を整合させる請求項２５に記載の通信ネットワーク。
【請求項３８】
ＤＳＳＳ送信器及びＯＦＤＭ受信器を有する第３システムを更に備えた請求項２５に記載の通信ネットワーク。
【請求項３９】
ＤＳＳＳトランシーバーを有する第４システムを更に備えた請求項２５に記載の通信ネットワーク。
【請求項４０】
上記第１システムは、上記ＯＦＤＭ送信器に接続されたＯＦＤＭサブキャリアアロケーターを更に備え、このＯＦＤＭサブキャリアアロケーターは、上記第２システムの各々に関連した各サブキャリアの信号対雑音比（ＳＮＲ）情報に基づいて上記第２システムへサブキャリアを適応式に割り当てる請求項２５に記載の通信ネットワーク。
【請求項４１】
上記ＳＮＲ情報は、上記第１及び第２システムによって測定されて、上記ＯＦＤＭサブキャリアアロケーターへフィードバックされる請求項４０に記載の通信ネットワーク。
【請求項４２】
上記ＳＮＲ情報は、上記第１システムにおいて上記第２システム各々のアップリングＤＳＳＳ信号を使用して直接測定される請求項４０に記載の通信ネットワーク。
【請求項４３】
上記第１システムの上記ＤＳＳＳ受信器は、Ｒａｋｅ受信器と、このＲａｋｅ受信器にチャンネル推定を与えるように接続されたチャンネル推定器とを備え、このチャンネル推定器は、適応チャンネル割り当てのために上記ＯＦＤＭサブキャリアアロケーターにチャンネル推定を送信する請求項４０に記載の通信ネットワーク。
【請求項４４】
上記チャンネル推定器は、トレーニングシーケンスを使用してチャンネル推定を発生する請求項４３に記載の通信ネットワーク。
【請求項４５】
上記チャンネル推定器は、トレーニングシーケンスを伴わずにチャンネル推定を発生する請求項４３に記載の通信ネットワーク。
【請求項４６】
上記第２システムは、更に、
ビーコン信号を発生するためのビーコン発生器と、
上記ビーコン発生器に接続されて、上記ビーコン信号をＯＦＤＭ記号と合成し、上記第２システムからの出力として送信信号を生成するためのスイッチと、
を備えた請求項２５に記載のシステム。
【請求項４７】
上記ビーコン信号は、少なくとも１つの拡散スペクトル擬似ノイズ（ＰＮ）シーケンスを含む請求項４６に記載のシステム。
【請求項４８】
上記ビーコン信号は、複数の拡散スペクトル擬似ノイズ（ＰＮ）シーケンスを含む請求項４６に記載のシステム。
【請求項４９】
上記加入者は、時間同期のために上記複数の拡散スペクトル擬似ノイズ（ＰＮ）シーケンスの第１部分を使用する請求項４８に記載のシステム。
【請求項５０】
上記ＰＮシーケンスの第１部分は、１つのＰＮシーケンスより成る請求項４９に記載のシステム。
【請求項５１】
上記加入者は、周波数トラッキングのために上記ＰＮシーケンスの第１部分に続くＰＮシーケンスの第２部分を使用する請求項４９に記載のシステム。
【請求項５２】
上記ＰＮシーケンスの第２部分におけるＰＮシーケンスは、上記ＰＮシーケンスの第１部分におけるＰＮシーケンスより短い請求項５１に記載のシステム。
【請求項５３】
上記ＣＤＭＡ送信器は、アップリンク通信のためのものである請求項２５に記載のシステム。
【請求項５４】
上記ＯＦＤＭ送信器は、オープンループ電力制御のためにダウンリンク中に全帯域巾パイロットＯＦＤＭ記号を送信する請求項５３に記載のシステム。